【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】  複数の回路（２００、４００）と、入力電圧（Ｖｘｘ）を含む電力（Ｖｘｘ、Ｖｃｃ、Ｖｄｄ）を複数の回路に供給する電源（２２２、４２２、４２３）と、他の複数の回路を適切に動作させるために十分な電力（Ｖｓｔａｒｔ、Ｖｓｕｓｔａｉｎ）を供給しなければ、他の複数の回路を動作しないリセット状態に維持するリセット信号（ＩＮＴ＿ＲＥＳ、ＲＥＳＥＴ）を発生する電力供給オン・リセット（ＰＯＲ）回路（４８２、６００）を備えた複数の回路の１つとを備えているＲＦトランスポンダ（１０２、２００、４００）において、
他の複数の回路の少なくとも１つが、リセット信号が発生された時に、完全なデータ流の第１のパス送信を確保するために、データ流の第１のビットにおいてデータ流の送信を開始する制御論理回路（４４０、４４２）を備えている、
ことを特徴とするＲＦトランスポンダ。
【請求項２】  リセット信号の状態をセットおよびクリヤするためのフリップフロップ回路（６５０）と、
比較器（６３４）の入力端子に接続され、フリップフロップ回路がトランスポンダの突然の電力上昇後の遅延時間（Ｒａｍｐ＿Ｄｅｌａｙ）の間リセット信号をオン状態に保持するようにフリップフロップ回路を制御するｉｎｉｔ遅延回路（６２０）と、
を備えることを特徴とする請求項１に記載のＲＦトランスポンダ。
【請求項３】  リセット信号の状態をセットおよびクリヤするためのフリップフロップ回路（６５０）と、
第１の比較器（６３８）に接続され、電圧制限回路（６４０）に入力信号（Ｖ＿ＳＵＳＴＡＩＮ）を供給する分圧器（６１０）とを備え、
前記電圧制限回路は、フリップフロップ回路が、最低維持電圧（Ｖｓｕｓｔａｉｎ）より低いか、それに等しい入力電圧に応答してリセット信号をセットし、かつ最低維持電圧より高い入力電圧に応答してリセット信号をクリヤするように、フリップフロップ回路を制御することを特徴とする請求項１に記載のＲＦトランスポンダ。
【請求項４】  最低維持電圧が異なるトランスポンダ動作モード（能動、受動）で異なる値（Ｖｓｕｓｔａｉｎ（能動）、Ｖｓｕｓｔａｉｎ（受動）、Ｖｓｔａｒｔ）を有することを特徴とする請求項３に記載のＲＦトランスポンダ。
【請求項５】  能動トランスポンダ動作モードにおいて、電源は複数の回路のための電力を電池から取り出し、
受動トランスポンダ動作モードにおいて、電源は複数の回路のための電力をアンテナ装置（２１０、４１０）により受けられたＲＦ信号から取り出すことを特徴とする請求項４に記載のＲＦトランスポンダ。
【請求項６】  分圧器に接続され、入力信号（Ｖ＿ＳＴＡＲＴ）を電圧制限回路に供給する第２の比較器（６３６）を備え、
前記電圧制限回路は、入力電圧が最低維持電圧（Ｖｓｕｓｔａｉｎ）より低いか、それに等しい値から最低スタート電圧（Ｖｓｔａｒｔ）まで上昇している間にフリップフロップ回路がリセット信号をセットし、かつ入力電圧が最低スタート電圧より高く上昇する時にフリップフロップ回路がリセット信号をクリヤするようにフリップフロップ回路を制御することを特徴とする請求項３に記載のＲＦトランスポンダ。
【請求項７】  入力電圧が最低スタート電圧より高く上昇した後で、入力電圧が最低維持電圧より高いままである限り、フリップフロップ回路がクリヤされたリセット信号状態を維持するように、かつ入力電圧が最低スタート電圧より高く上昇した後で、入力電圧が最低維持電圧より低いか、それに等しい電圧まで降下した時に、フリップフロップ回路がリセット信号をセットするように、第１の比較器からの入力信号と第２の比較器からの入力信号を組合わせる電圧制限回路内の論理回路（６３３ｆ、６４２、６４４、６４６、６４８、６３３ｅ）を備えることを特徴とする請求項６に記載のＲＦトランスポンダ。
【請求項８】  電力上昇の開始後に、遅延時間（Ｒａｍｐ＿Ｄｅｌａｙ）である第１の期間と、入力電圧が最低電圧（Ｖｓｕｓｔａｉｎ、Ｖｓｔａｒｔ）より高くまで上昇する間に費やされる時間である第２の期間のうちの長いほうの期間の間、フリップフロップ回路がリセット信号をオン状態に保つように、フリップフロップ回路の制御を電圧制限回路と分担する第２の比較器（６３４）の入力端子に接続されているｉｎｉｔ遅延回路（６２０）を備えることを特徴とする請求項３に記載のＲＦトランスポンダ。
【請求項９】  外部リセット信号（ＥＸＴ＿ＲＥＳ）のための入力端子（ＲＥＳ）と、
外部リセット信号を電力供給オン・リセット回路が発生したリセット信号（ＩＮＴ＿ＲＥＳ）に組合わせて組合わされたリセット信号（ＲＥＳＥＴ）を形成する少なくとも１つの論理素子（６５８、６３３ｃ）とを備え、
組合わされたリセット信号は外部リセット信号または電力供給オン・リセット回路が発生したリセット信号のいずれかがセットされたことに応答してセットされ、組合わされたリセット信号は、外部リセット信号と電力供給オン・リセット回路が発生したリセット信号が両方ともクリヤされた時に、クリヤされることを特徴とする請求項１に記載のＲＦトランスポンダ。
【請求項１０】  アースと外部リセット信号のための入力端子との間に接続されているゲート（Ｎ３０）を備え、
電源電圧が論理制御に適するレベルにある時に外部リセット信号がクリヤされるように、ゲートは電源電圧の１つ（Ｖｄｄ）により制御されることを特徴とする請求項９に記載のＲＦトランスポンダ。
【請求項１１】  電力供給オン・リセット回路のための電力が利用可能な調整された最高電圧（Ｖｘｘ）であり、複数の回路のうちの他方の回路より前に電力供給オン・リセット回路が機能するように、最少電力使用および最低可能電圧での動作のために電力供給オン・リセット回路の部品が選択されるＲＦトランスポンダにおいて、
電力供給オン・リセット回路が、
低電流３段比較器（６３４、６３６、６３８）と、
シュミットトリガ・インバータ（６３１ｂ、６３１ｃ、６３１ｄ）と、
オンチップ高ポリ抵抗値を利用する低電流分圧器（６１０）と、
を備えていることを特徴とする請求項１に記載のＲＦトランスポンダ。
【請求項１２】  複数の回路（２００、４００）と、入力電圧（Ｖｘｘ）を含む電力（Ｖｘｘ、Ｖｃｃ、Ｖｄｄ）を複数の回路に供給する電源（２２２、４２２、４２３）と、複数の回路の適正な動作を確保するために十分な電力（Ｖｓｔａｒｔ、Ｖｓｕｓｔａｉｎ）を電源が有しなければ複数の回路のうちの選択された回路を動作しないリセットモードに維持するリセット信号（ＩＮＴ＿ＲＥＳ、ＲＥＳＥＴ）を発生するための電力供給オン・リセット（ＰＯＲ）回路（４８２、６００）とを備えるＲＦトランスポンダ（１０２、２００、４００）の、電力上昇中および電力下降中の動作を制御する方法において、
リセット信号が発生された時に、完全なデータ流の第１のパス送信を確保するために、送信すべきデータ流の第１のビットでデータ送信を開始することと、
を備えることを特徴とするＲＦトランスポンダ（１０２、２００、４００）の電力上昇中および電力下降中の動作を制御する方法。
【請求項１３】  トランスポンダの突然の電力供給後に遅延時間（Ｒａｍｐ＿Ｄｅｌａｙ）の間リセット信号をオン状態に保持すること、
を備えることを特徴とする請求項１２に記載の方法。
【請求項１４】  最低維持電圧（Ｖｓｕｓｔａｉｎ）の値を、ＲＦトランスポンダのための種々の動作モード（能動、受動）を基にして、トランスポンダ動作のための種々の値（Ｖｓｕｓｔａｉｎ（能動）、Ｖｓｕｓｔａｉｎ（受動）、Ｖｓｔａｒｔ）に選択することを備えることを特徴とする請求項１２に記載の方法。
【請求項１５】  能動トランスポンダ動作モードにおいては、電源は複数の回路のための電力を電池から取り出し、
受動トランスポンダ動作モードにおいては、電源は複数の回路のための電力をアンテナ装置（２１０、４１０）により受けられたＲＦ信号から取り出す、
ことを特徴とする請求項１４に記載の方法。
【請求項１６】  電力上昇の開始後に、遅延時間である第１の期間（Ｒａｍｐ＿Ｄｅｌａｙ）と、入力電圧が最低電圧（Ｖｓｕｓｔａｉｎ、Ｖｓｔａｒｔ）より高くまで上昇する間に費やされる時間である第２の期間のうちの長い期間の間リセット信号をオン状態に保つこと、
を備えることを特徴とする請求項１２に記載の方法。
【請求項１７】  外部から供給された外部リセット信号（ＥＸＴ＿ＲＥＳ）またはトランスポンダが発生したリセット信号（ＩＮＴ＿ＲＥＳ）のいずれかがセットされた時に組合わされたリセット信号（ＲＥＳＥＴ）をセットすることと、
外部リセット信号とトランスポンダが発生したリセット信号が両方ともクリヤされた時に組合わされたリセット信号をクリヤすることと、
を備えていることを特徴とする請求項１２に記載の方法。
【請求項１８】  電源の電圧レベルがデジタル論理制御のために適当である時には常に外部から供給された外部リセット信号をクリヤすること、
を備えていることを特徴とする請求項１７に記載の方法。
【手続補正２】
【補正対象書類名】明細書
【補正対象項目名】００５５
【補正方法】変更
【補正の内容】
【００５５】
タイミング発生器／シーケンサ回路２２６は、弛張発振器２５２により出力される周波数Ｆｏｓｃ'の発生に外部圧力検出容量（Ｃｐ）２１８が含まれている時を制御し、かつデータ獲得回路２５４を介する圧力カウントおよび温度カウントの獲得も制御する。たとえば、温度を測定するために、温度感知電流Ｉ（Ｔ）が内部発振器コンデンサ（ＣFX1とＣFX2）を通るが、圧力検出容量（Ｃｐ）２１８はそれらの容量から切り離される（含まれていない）。これは、線２５３上で見られる発振器出力信号の周波数Ｆｏｓｃ'が温度のみの関数であることを意味する。圧力検出コンデンサ（Ｃｐ）２１８が「接続される」と、線２５３における発振器２５２の出力信号の周波数Ｆｏｓｃ'は、後で非常に詳しく説明するように、圧力および温度の両方の関数である。後で非常に詳しく説明するように、圧力‐温度測定から「圧力のみ」指示を取出すために読取器／質問器１０６であるアルゴリズムが採用される。
【手続補正３】
【補正対象書類名】明細書
【補正対象項目名】０１１０
【補正方法】変更
【補正の内容】
【０１１０】
一般に、
カウント＝カウントされるウィンドウ時間（ｔ）×周波数（Ｆ）
Ｈ＝１／周期
充電時間＝Ｖ×Ｃ／Ｉ
電流Ｉで電圧Ｖまで充電すべき容量がＣであるコンデンサに対して。
【手続補正４】
【補正対象書類名】明細書
【補正対象項目名】０１１１
【補正方法】変更
【補正の内容】
【０１１１】
周波数がＦｏｓｃ'の出力信号を持つ弛張発振器３１２の周期は、２つの位相経路３１４ａと３１４ｂ中の容量の充電時間の和であるので、ＣFX1とＣFX2を有するそのような弛張発振器からのカウントについての一般的な方程式を得るために上の式を取り扱うことができる。たとえば、
カウント＝ｔ／（Ｖ×ＣFX1／Ｉ＋ＣFX2／Ｉ）
＝ｔ×Ｉ／（Ｖ×（ＣFX1＋ＣFX2））
温度カウントと圧力カウントに値を代入すると
ＮT＝（ｔT×Ｉ（Ｔ）／ｎT）／（Ｖｂｇ×（ＣFX1＋ＣFX2））
・・・［式Ａ］
Ｎｐ＝（ｔP×Ｉ（Ｔ）／ｎP）／（Ｖｂｇ×（ＣFX1＋ＣFX2＋Ｃｐ））ここに、ｎTとｎPは、温度測定ウィンドウと圧力測定ウィンドウ中で異なることが有り得るスケールされた電流Ｉ（Ｔ）／Ｎ中の換算係数Ｎの値である。
【手続補正５】
【補正対象書類名】明細書
【補正対象項目名】０１１２
【補正方法】変更
【補正の内容】
【０１１２】
式ＮTをＮｐで除すと
ＮT／Ｎｐ＝（ｔT／ｔP）×（ｎT／ｎP）×（ＣFX1＋ＣFX2＋Ｃｐ）／（ＣFX1＋ＣFX2）
すなわち、
ＮT／Ｎｐ＝（ｔT／ｔP）×（ｎT／ｎP）×（１＋（Ｃｐ／（ＣFX1＋ＣFX2））                                                                
・・・［式Ｂ］
が得られる。この式Ｂの右辺の項は、圧力検出容量Ｃｐを除いて全て定められた定数であるから、ＮT／ＮｐとＣｐ（したがって、圧力）の間に直線関係が存在することがわかる。これは、ＮT／Ｎｐが圧力の関数だけであって、温度変化やコンデンサ充電電流の変動には左右されないことを意味する。
【手続補正６】
【補正対象書類名】明細書
【補正対象項目名】０１１４
【補正方法】変更
【補正の内容】
【０１１４】
ＮT／Ｎｐ＝１＋（Ｃｐ／２×ＣFX）
式Ａから、温度カウントＮTと電流Ｉ（Ｔ）（これは温度に比例する）の間に直線関係が既に存在することがわかる。